(57)【要約】      （修正有）【課題】放熱が良好で、経済的な組立と照射範囲の向上が可能なＬＥＤ照明を提供する。【解決手段】ランプ台座１０と、放熱部品３０と、ＬＥＤモジュール４０と、ランプカバー５０とからなる。ランプ台座は、上向きに開口した収容室１１を有し、収容室頂縁には複数の雌フック１２が、ランプ台座底部にはソケット１３が設けられる。放熱部品は、ランプ台座頂部に設けられ、上向きに延伸して幅が徐々に狭くなる錐部３４を有し、錐部は相対する二つの錐面３４１を有する。ＬＥＤモジュールは、二つの錐面に設けられた電子回路板４１と、電子回路板に設けられたＬＥＤ４２と、ソケットと電気的に接続されるピン４３とからなる。ランプカバーは、下向きに開口してＬＥＤを覆設するためのランプ室５１を有し、ランプ室は開口溝５２により、被せられた時に左右両側に複数の対流孔道を形成する。更に雌フックと組合される雄フック５３が設けられる。【選択図】図１
0003191493.tif 000002
【実用新案登録請求の範囲】
【請求項１】
ランプ台座と、放熱部品と、ＬＥＤモジュールと、ランプカバーとからなる、ＬＥＤ照明であって、
前記ランプ台座は、上向きに開口した収容室を有し、前記収容室頂縁に複数の雌フックが設けられ、
前記ランプ台座底部には、更に電源と接続するためのソケットが設けられ、
前記放熱部品は、底部が前記収容室に固定されるとともに、上向きに延伸するとともに幅が徐々に狭くなる形状の錐部が設けられ、
前記錐部は、二つの相対する錐面を有し、
前記ＬＥＤモジュールは、二つの前記錐面に設けられた電子回路板と、電子回路板に設けられたＬＥＤと、前記ソケットと電気的に接続されるように延伸したピンとからなり、
透光性を備えた前記ランプカバーは、下向きに開口して前記ＬＥＤを覆設するためのランプ室を有し、
前記ランプ室は、開口溝によって左右に貫かれ、
更に前記ランプカバーには、前記雌フックと組合される雄フックが設けられることにより、
前記電子回路板は、対応する前記開口溝両側によって両側が押止されるとともに、前記錐面に密着され、
前記放熱部品は、前記開口溝両側によって圧迫されて収容室に固定され、
前記放熱部品の錐部両側は、外部に露出していることを特徴とする、ＬＥＤ照明。
【請求項２】
前記収容室には、更に駆動電子回路が設けられ、
前記駆動電子回路は、前記ソケットと電気的に接続される電極ピンを有し、
前記ソケットから入力される電流は、前記駆動電子回路によって制御されてから前記ＬＥＤモジュールのピンへ供給されることを特徴とする、請求項１に記載のＬＥＤ照明。
【請求項３】
前記雌フックは、前記収容室内外を繋ぐ経路に係止孔が設けられ、
前記放熱部品は、前記雌フックと対応する制止溝を有し、
前記ランプカバーの雄フックは、前記制止溝と対応するストッパー、及び前記係止孔と対応する係止体を有し、
更に前記係止体には、下向きに延伸した誘導部が設けられ、
前記誘導部は、前記ランプカバーに連動して前記雌フック内側に差込まれ、
前記雄フックは、経路方向に首窄まりになるように前記ストッパーが前記制止溝に差込まれ、
前記係止体は、前記係止孔に係止されることにより、
前記ランプカバーと前記ランプ台座が一つに固定されるとともに、前記放熱部品の移動が限制されることを特徴とする、請求項１に記載のＬＥＤ照明。
【請求項４】
前記開口溝は、幅が上向きに徐々に狭くなる段階状を呈して設けられ、
前記開口溝と電子回路板の間には、複数の対流孔道が形成されることを特徴とする、請求項１、２、３に記載のＬＥＤ照明。
【請求項５】
前記放熱部品は、前記収容室頂端に被せられるとともに外部に露出した基部を有し、
前記基部には、対称且つ上向きに延伸する錐部が設けられ、
前記基部には、更に上下に貫通した差込孔が設けられ、
前記電子回路板のピンは、前記差込孔を貫いて前記ソケットと電気的に接続され、
前記放熱部品における錐面には、前記電子回路板を嵌設するための取付溝が対称に凹設されることを特徴とする、請求項１、２、３に記載のＬＥＤ照明。
【考案の詳細な説明】
【技術分野】
【０００１】
本考案は、ＬＥＤ照明の技術に関し、特に放熱が良好で、素早い組立が可能、且つ照射範囲が広い、ＬＥＤ照明に関する。
【背景技術】
【０００２】
ＬＥＤ電球は、輝度が高い、省エネである、環境にやさしい、耐用性に優れている、といった長所を持つものの、ＬＥＤへの入力電源のうち約６５％が熱になってしまう。蓄積された熱は、ＬＥＤの発光効率を低下させるだけでなく、ＬＥＤの寿命を縮める。
【０００３】
上述に対応するため、台湾特許第Ｍ３４９１５７号「ＬＥＤ電球の改良」において、ＬＥＤ電子回路板底面に放熱ゲルによって放熱部品が固定されることにより、全体の放熱効率を強化するという構造が開示された。しかし、この構造は、少なくとも以下の欠点を有している。
【０００４】
一、ＬＥＤが組立作業によって圧迫破損されないように、ランプカバーがＬＥＤ及び放熱部品全体を完全に覆い包んでいるため、ＬＥＤ及び放熱部品はランプカバー及びランプ台座の中に密封されてしまう。よって、放熱部品による伝導によってしかＬＥＤの放熱ができず、蓄熱が続いてしまうという問題が残されている。
【０００５】
二、放熱部品をネジによってランプ台座に固定する必要があり、人の手によって組立てなければならないため、作業時間を増加させるだけでなく、全体の組立効率を低下させる。
【０００６】
三、人の手によって放熱ゲルを塗布しなければならないため、放熱ゲル塗布のコストが増し、加えて電子回路板を放熱体と密着させることができない。よって、放熱伝導の効果に影響を与えるだけでなく、人の手による放熱ゲルの塗布は時間も労力も要するため、非経済的である。この問題点を従来の加工技術は解決できておらず、改善の必要がある。
【先行技術文献】
【特許文献】
【０００７】
【特許文献１】台湾特許第Ｍ３４９１５７号明細書
【考案の概要】
【考案が解決しようとする課題】
【０００８】
本考案は、放熱が良好で、素早い組立が可能、且つ照射範囲が広い、ＬＥＤ照明を提供することを目的とする。
【課題を解決するための手段】
【０００９】
上述の目的を達成するため、本考案のＬＥＤ照明は、少なくともランプ台座と、放熱部品と、ＬＥＤモジュールと、ランプカバーとからなる。
【００１０】
前記ランプ台座は、上向きに開口した収容室を有し、前記収容室頂縁に複数の雌フックが設けられ、ランプ台座底部に電源と接続するためのソケットが設けられる。
【００１１】
前記放熱部品は、底部がランプ台座頂部に固定されるとともに、上向きに延伸するとともに幅が徐々に狭くなる形状の錐部が設けられる。前記錐部は、二つの相対する錐面を有する。
【００１２】
前記ＬＥＤモジュールは、二つの錐面に設けられた電子回路板と、電子回路板に設けられたＬＥＤと、ソケットと電気的に接続されるように延伸したピンとからなる。
【００１３】
前記ランプカバーは、下向きに開口した内部にＬＥＤを覆設するためのランプ室を有する。前記ランプ室は、幅が上向きに徐々に狭くなる段階状を呈して設けられた開口溝によって左右に貫かれる。更にランプカバーには、雌フックと組合される雄フックが設けられることにより、開口溝両側が対応する電子回路板両側を押止し、電子回路板を錐面に密着させるとともに、放熱部品を圧迫してランプ台座に固定させる。またランプカバーにおける段階状の開口溝は、電子回路板に当接して複数の対流孔道を形成する。
【考案の効果】
【００１４】
以上の構造により、本考案は、少なくとも以下の点における進歩性を有する。
【００１５】
一、本考案は、ランプカバーが中央に設けられたＬＥＤモジュールに半覆い状に被せられることにより、放熱部品の錐部両側が外部に露出するため、冷たい空気との素早い対流によって放熱を行うことができる。よって、前記放熱部品への蓄熱が最小限に抑えられ、望ましい放熱状態が保たれる。またランプカバー両側には、開口溝によって複数の対流孔道が形成されることにより、空気対流によってＬＥＤモジュールの放熱を行うことができる。以上により、二重の放熱効果という進歩性を達成する。
【００１６】
二、本考案は、放熱部品がＬＥＤに対する熱交換を行うとともに、道具・螺合・ゲル材塗布を必要とせずに全体を組合せることができるため、大幅な作業時間の削減と効率向上が可能であり、且つ同時組立を行うことにより、経済性と新規性を達成することができる。即ち本考案は、上述の従来特許における欠点を取り除き、製造効率を効果的に向上させることにより、放熱部品を有するＬＥＤ電球における問題点を効果的に解消するための新規技術を提供することができる。
【００１７】
三、本考案は、電子回路板が等脚状を呈して二つの錐面に設けられることにより、前記電子回路板のＬＥＤが照射する時、均等且つより広範囲な照射が可能であるという進歩性を備える。
【図面の簡単な説明】
【００１８】
【図１】本考案の分解図である。
【図２】本考案を組合せた際の外観を示した概略図である。
【図３】本考案を組合せた際の断面図である。
【図４】本考案の雌フックと雄フックを組合せた際の断面図である。
【図５】本考案が空気対流によって放熱する際の流れを示した概略図である。
【図６】本考案の実施例における照射を示した概略図である。
【考案を実施するための形態】
【００１９】
図１から図６を参照する。本考案は、少なくともランプ台座１０と、駆動電子回路２０と、放熱部品３０と、ＬＥＤモジュール４０と、ランプカバー５０とからなる。
【００２０】
ランプ台座１０は、プラスチック素材から製造されるとともに、上向きに開口した収容室１１を有し、且つ収容室１１頂縁に二つの雌フック１２が対称に設けられる。雌フック１２は、収容室１１内外を繋ぐ経路に係止孔１２１が設けられる。更にランプ台座１０底部には、電源と接続するためのソケット１３が設けられる。ソケット１３は、国際基準１１５７、３１５７、Ｔ２０、或いはその他の標準化規格に適うものを採用することにより（図１参照）、照明設備に取り付けることができる。
【００２１】
駆動電子回路２０は、収容室１１中に設けられるとともに、ソケット１３と電気的に接続される電極ピン２１を有する。駆動電子回路２０は、主にソケット１３から入力される電流を制御して安定させ、電源電圧、温度、順方向バイアス差等から受ける影響を減少或いは無くしてから、ＬＥＤモジュール４０へ提供する。
【００２２】
放熱部品３０は、放熱性を備えたアルミニウム素材から製造されるとともに、収容室１１頂端に被せられた基部３１を有する。基部３１には、上下に貫通した差込孔３２と、雌フック１２と対応する制止溝３３が設けられる。更に基部３１には、対称且つ上向きに延伸するとともに幅が徐々に狭くなる形状の錐部３４が設けられる。錐部３４は、二つの相対する錐面３４１を有し、更に錐面３４１には取付溝３４２が対称に凹設される。
【００２３】
ＬＥＤモジュール４０は、二つの取付溝３４２に嵌設された電子回路板４１と、電子回路板４１に対称に取り付けられたＬＥＤ４２と、電子回路板４１と接続されて延伸した二つのピン４３とからなる。二つの電極ピン４３は、放熱部品３０の差込孔３２を貫いて駆動電子回路２０と電気的に接続される。これにより、駆動電子回路２０によって安定した直流電気エネルギーがＬＥＤ４２に提供されて、光源を生じる。
【００２４】
透光性を備えたランプカバー５０は、下向きに開口した内部にＬＥＤ４２を覆設するためのランプ室５１を有するとともに、開口溝５２によってランプ室５１が左右に貫かれる。開口溝５２は、幅が上向きに徐々に狭くなる段階状を呈して設けられる。またランプカバー５０底縁には、雌フック１２と組合される雄フック５３が設けられる。雄フック５３は、制止溝３３と対応するストッパー５３１、及び係止孔１２１と対応する係止体５３２を有し、更に係止体５３２からは誘導部５３３が下向きに延伸して設けられる。これにより、ランプカバー５０に連動して誘導部５３３が雌フック１２内側に差込まれた時、雄フック５３は経路方向に首窄まりになるようにストッパー５３１が制止溝３３に差込まれ、係止体５３２が係止孔１２１に係止されることによって、ランプカバー５０とランプ台座１０が一つに固定されるとともに、放熱部品３０の移動を限制する。これと同時に、開口溝５２両側が対応する電子回路板４１両側を押止し、電子回路板４１を錐面３４１の取付溝３４２に密着させ、且つ放熱部品３０と駆動電子回路２０を共に収容室１１に挟んで固定する。この時、放熱部品３０の基部３１と錐部３４両側と電子回路板４１両側は外部に露出しており、開口溝５２は段階状を呈しているため、開口溝５２と電子回路板１４の間に複数の対流孔道孔５４が形成される（図５を参照）。
【００２５】
以上の構造により、本考案は少なくとも以下の長所を有する。
【００２６】
一、放熱性が良好である：本考案は、放熱部品３０の熱伝導によって放熱するとともに、ランプカバー５０が半覆い状に被せられることにより、ＬＥＤモジュールを組立による圧迫破損から保護することができる。また放熱部品３０の基部３１及び錐部３４両側が外部に露出することにより、冷たい空気との熱交換が生じるため、放熱部品３０への蓄熱が最小限に抑えられる。これにより放熱部品３０の熱伝導が望ましい状態に保たれる。更に、本考案のランプカバー５０には、冷たい空気をランプ室５１に流出入させるための対流孔道５４が設けられるため、空気対流によってＬＥＤモジュール４０の放熱を行うことができる。以上により、本考案は、空気対流による放熱と、熱伝導による放熱という二重の構造及び効果を備えるため、ＬＥＤ４２の作業温度が８５℃よりも遥かに低くなり、ＬＥＤ４２の耐用年数及び発光効果を望ましい状態に保つことができる。
【００２７】
二、効果的にコストを削減する：本考案は、ランプカバー５０をランプ台座１０に係止するだけで全体の組合せが可能であり、対称に傾斜した開口溝５３によって電子回路板４１及び放熱部品３０を共にランプ台座１０に固定することができる。上述した従来特許においては、人的作業での放熱部品の螺合及び放熱ゲルの塗布が必要であったが、本考案は、この不便さを大幅に軽減するとともに、大幅な作業時間の削減と効率性向上が可能であり、且つ同時組立を行うことにより、経済性と新規性を達成することができる。
【００２８】
三、より広い照射範囲を有する：本考案は、電子回路板４１が等脚状を呈して二つの錐面３４１に設けられることにより（図６を参照）、電子回路板４１のＬＥＤ４２が照射する時、均等且つより広範囲な照射が可能であるという進歩性を備える。
【符号の説明】
【００２９】
１０   ランプ台座
１１   収容室
１２   雌フック
１２１ 係止孔
１３   ソケット
２０   駆動電子回路
２１   電極ピン
３０   放熱部品
３１   基部
３２   差込孔
３３   制止溝
３４   錐部
３４１ 錐面
３４２ 取付溝
４０   ＬＥＤモジュール
４１   電子回路板
４２   ＬＥＤ
４３   ピン
５０   ランプカバー
５１   ランプ室
５２   開口溝
５３   雄フック
５３１ ストッパー
５３２ 係止体
５３３ 誘導部
５４   対流孔道
【図１】
0003191493.tif 000003
【図２】
0003191493.tif 000004
【図３】
0003191493.tif 000005
【図４】
0003191493.tif 000006
【図５】
0003191493.tif 000007
【図６】
0003191493.tif 000008
【手続補正書】
【提出日】平成26年4月21日(2014.4.21)
【手続補正１】
【補正対象書類名】実用新案登録請求の範囲
【補正対象項目名】請求項４
【補正方法】変更
【補正の内容】
【請求項４】
前記開口溝は、幅が上向きに徐々に狭くなる段階状を呈して設けられ、
前記開口溝と電子回路板の間には、複数の対流孔道が形成されることを特徴とする、請求項１から３のいずれか一項に記載のＬＥＤ照明。
【手続補正２】
【補正対象書類名】実用新案登録請求の範囲
【補正対象項目名】請求項５
【補正方法】変更
【補正の内容】
【請求項５】
前記放熱部品は、前記収容室頂端に被せられるとともに外部に露出した基部を有し、
前記基部には、対称且つ上向きに延伸する錐部が設けられ、
前記基部には、更に上下に貫通した差込孔が設けられ、
前記電子回路板のピンは、前記差込孔を貫いて前記ソケットと電気的に接続され、
前記放熱部品における錐面には、前記電子回路板を嵌設するための取付溝が対称に凹設されることを特徴とする、請求項１から３のいずれか一項に記載のＬＥＤ照明。